(57)【要約】【課題】原稿を搬送せずとも、その原稿に適切な読取倍率を導出可能とすること。【解決手段】シートスルー方式の画像読取装置であって、原稿を搬送する搬送手段であって、該原稿が通過するギャップを形成するために、透明板と、熱膨張する材料で作製されたガイド板を含む搬送手段と、透明板を介して、ギャップを通過する原稿に固定的な位置から光を照射し、該原稿からの反射光に基づき画像データを生成する読取手段と、制御手段と、を備えている。制御手段は、ギャップに相関する情報を取得し（Ｓ０２）、その後、取得情報に応じて、原稿の読取倍率を調整する（Ｓ０５）。【選択図】図４
2015005801.tif 000002
【特許請求の範囲】
【請求項１】
原稿を搬送する搬送手段であって、該原稿が通過するギャップを形成するために、透明板と、熱膨張する材料で作製されたガイド板と、を含む搬送手段と、前記透明板を介して、前記ギャップを通過する原稿に固定的な位置から光を照射し、該原稿からの反射光に基づき画像データを生成する読取手段と、前記ギャップに相関する情報を取得して、取得情報に応じて、前記原稿の読取倍率を調整する制御手段と、を備えるシートスルー方式の画像読取装置。
【請求項２】
前記ガイド板の位置を検出する検出手段をさらに備え、
前記制御手段は、前記ギャップに相関する情報として、前記検出手段の検出結果を取得する、請求項１に記載の画像読取装置。
【請求項３】
前記ガイド板周辺の温度を検出する検出手段をさらに備え、
前記制御手段は、
前記ギャップに相関する情報として、前記原稿への光照射前後の温度を、前記検出手段から取得し、
前記原稿への光照射前後の温度差に応じて、前記原稿の読取倍率を調整する、請求項１に記載の画像読取装置。
【請求項４】
前記原稿への光照射開始からの経過時間を計測する検出手段をさらに備え、
前記制御手段は、
前記ギャップに相関する情報として、前記原稿への光照射開始からの経過時間を、前記検出手段から取得し、
取得した経過時間に応じて、前記原稿の読取倍率を調整する、請求項１に記載の画像読取装置。
【請求項５】
前記制御手段は、前記読取手段により生成された画像データに対して画像処理を行って、前記原稿の読取倍率を調整する、請求項１〜４のいずれかに記載の画像読取装置。
【請求項６】
前記制御手段は、前記搬送手段による原稿の搬送速度を調整して、前記原稿の読取倍率を調整する、請求項１〜４のいずれかに記載の画像読取装置。
【請求項７】
前記ガイド板の前記透明部材に対する位置を変化させるアクチュエータをさらに備え、
前記調制御段は、前記アクチュエータを駆動することで、前記ガイド板の前記透明板に対する位置を変更し、これによって、前記原稿の読取倍率を調整する、請求項１〜４のいずれかに記載の画像読取装置。
【発明の詳細な説明】
【技術分野】
【０００１】
本発明は、原稿を搬送する搬送手段と、搬送中の原稿に固定的な位置から光を照射し、反射光に基づき画像データを生成する読取手段と、を備えるシートスルー方式の画像読取装置に関する。
【背景技術】
【０００２】
従来、この種の画像読取装置では、搬送手段は、所定ギャップをあけて上下方向に相対向する透明板およびガイド板を含む。透明板は、通常ガラスで作製され、コンタクトガラス等と呼ばれる。ガイド板は、典型的には樹脂で作製される。搬送手段は、上記ギャップに設けられた読取位置を所定速度で通過するように原稿を搬送する。読取手段は、原稿読み取り時、画像読取装置内に固定され、原稿がギャップを通過している最中に、読取位置に向けて透明板を介して光（具体的には線状光）を出射する。
【０００３】
上記から明らかなように、原稿の読み取り中、光が集中的に原稿に照射されるため、ガイド板周辺の温度は高くなり、ガイド板が熱変形し下方に撓む可能性がある。その結果、ギャップ中での原稿の搬送速度が低下し、副走査方向（つまり、読取位置での原稿の搬送方向）への読取倍率が、設定値と一致しなくなる場合がある。
【０００４】
このような問題点を解決するために、例えば、下記特許文献１には、原稿の搬送速度をモニタリングしており、現在の搬送速度と設定値とから、副走査方向への読取倍率を適正化する画像読取装置が記載されている。
【先行技術文献】
【特許文献】
【０００５】
【特許文献１】特開２００４−１４０６２０号公報
【発明の概要】
【発明が解決しようとする課題】
【０００６】
しかし、従来の画像読取装置では、実際に一度は原稿を搬送しないと副走査方向への読取倍率を調整できないという問題があった。この問題により、例えば、原稿読み取りの最中に読取倍率を調整したり、読取倍率の調整後に原稿を改めて搬送したりする必要が生じる。
【０００７】
それゆえに、本発明の目的は、原稿を搬送せずとも、その原稿に適切な読取倍率を導出可能な画像読取装置を提供することである。
【課題を解決するための手段】
【０００８】
上記目的を達成するために、本発明の一局面は、シートスルー方式の画像読取装置であって、原稿を搬送する搬送手段であって、該原稿が通過するギャップを形成するために、透明板と、熱膨張する材料で作製されたガイド板を含む搬送手段と、前記透明板を介して、前記ギャップを通過する原稿に固定的な位置から光を照射し、該原稿からの反射光に基づき画像データを生成する読取手段と、前記ギャップに相関する情報を取得して、取得情報に応じて、前記原稿の読取倍率を調整する制御手段と、を備える。
【発明の効果】
【０００９】
上記局面によれば、ギャップに相関する情報に基づき原稿の読取倍率を調整可能であるため、搬送手段が原稿を搬送する前に、原稿の読取倍率を調整することが可能となる。
【図面の簡単な説明】
【００１０】
【図１】本発明の一実施形態に係るシートスルー方式の画像読取装置を、ＺＸ平面に沿う切断面をＹ軸方向から見た時の図である。
【図２】図１に示す透明板およびガイド板の周辺をＹ軸方向から見た時の拡大図である。
【図３】図２の透明板およびガイド板を、Ｘ軸方向から見た時の拡大図である。
【図４】図１の画像読取装置の詳細な動作を示すフロー図である。
【図５】第一変形例に係る画像読取装置の詳細な動作を示すフロー図である。
【図６】第二変形例に係る画像読取装置に備わるアクチュエータの詳細な構成を示す図である。
【図７】図６に示すガイド板７２の他の構成を示す図である。
【図８】第二実施形態に係る画像読取装置の要部の構成を示す図である。
【図９】図８に示す画像読取装置の詳細な動作を示すフロー図である。
【図１０】第三実施形態に係る画像読取装置の要部の構成を示す図である。
【図１１】図１０に示す画像読取装置の要部の構成を示す図である。
【発明を実施するための形態】
【００１１】
《はじめに》
まず、いくつかの図面に示されるＸ軸、Ｙ軸およびＺ軸について説明する。Ｘ軸、Ｙ軸およびＺ軸は互いに直交する。また、Ｘ軸は、原稿読み取り時の副走査方向を示す。Ｙ軸は、原稿読み取り時の主走査方向を示す。Ｚ軸方向は、画像読取装置１の上下方向を示す。
【００１２】
《第一実施形態》
以下、図面を参照して、本発明の一実施形態に係る、シートスルー方式の画像読取装置について詳説する。
【００１３】
《画像読取装置の構成・概略的な動作》
図１において、画像読取装置１は、大略的に、自動原稿搬送手段２と、第一読取手段３と、第二読取手段４と、制御手段５と、を備えている。
【００１４】
自動原稿搬送手段２は、所謂、ＡＤＦ（Ａｕｔｏｍａｔｉｃ  Ｄｏｃｕｍｅｎｔ  Ｆｅｅｄｅｒ）であって、ＣＣＤ縮小光学系タイプの読取手段３の上方に設けられる。この搬送手段２は、大略的に、供給トレイ２０、ピックアップローラ２１、送りローラ２２、捌きローラ２３と、レジストローラ対２４と、排出ローラ対２５と、排出トレイ２６と、を備える。
【００１５】
トレイ２０は、読取手段３，４による読取対象となる原稿を複数枚、積載可能に構成される。ローラ２１は、トレイ２０上の原稿束Ｄから、最も上の原稿をピックアップして、搬送パスＦＰ（一点鎖線で示される）に送り出す。ローラ２２，２３は、ローラ２１によりピックアップされた原稿を挟み込み、回転することで搬送パスＦＰの下流方向に送り出す。ここで、捌きローラ２３は、ローラ２１から複数枚の原稿が送られてきた時、これらを分離して下方の原稿をトレイ２０の方向に戻す。
【００１６】
ローラ対２４は、原稿を送り出す時以外には回転せずに停止している。ローラ２２，２３から送り出された原稿は、ローラ対２４のニップ部分に突き当たり一旦停止する。ローラ対２４は、読取手段３，４での原稿読み取りの開始タイミングに合わせて回転することで、停止中の原稿を挟み込み、搬送パスＦＰの下流方向にある読取手段３の読取位置ＲＰ１に向けて送り出す。
【００１７】
ローラ対２４から送り出された原稿は、読取位置ＲＰ１を通過し、その後、ＣＩＳ密着センサ方式の読取手段４の読取位置ＲＰ２を通過する。その後、原稿はローラ対２５に到達する。ローラ対２５は、回転することで、搬送されてきた原稿を挟み込み、トレイ２６に送り出す。
【００１８】
上記のような原稿搬送は制御手段５によって制御される。
【００１９】
ところで、搬送手段２は、図２，図３に示すように、搬送パスＦＰの下端部分に、ギャップＧをあけて上下方向に相対向する透明板２７およびガイド板２８を含んでいる。
【００２０】
透明板２７は、典型的には、上方からの平面視で矩形形状を有する板状のコンタクトガラスである。この透明板２７は、Ｙ軸方向に延在しており、Ｙ軸方向に約３０ｃｍ程度の長さを有する。この透明板２７は、自身の上面がＸＹ平面と平行になるように、搬送手段２の下面に配置される。
【００２１】
ガイド板２８は、熱膨張により長さが変化する樹脂製の板状の部材である。このガイド板２８は、Ｙ軸方向に延在しており、Ｙ軸方向に約３０ｃｍの長さを有する。このガイド板２８の下面は、実質的にフラットな面となっている。このようなガイド板２８は、読取位置ＲＰ１上で、透明板２７の上面に対し、所定のギャップＧをあけてかつ平行に配置される。ここで、ギャップＧについて、画像読取装置１の工場出荷時の初期値は、例えば１［ｍｍ］である。
【００２２】
上記ギャップＧは搬送パスＦＰの一部であり、該ギャップＧを原稿が正しく通過するように、透明板２７のＹ軸方向両端には、互いに同じ高さ（例えば、１［ｍｍ］）を持つボス２９が少なくとも一つずつ取り付けられている。各ボス２９上にはガイド板２８が配置される。また、ガイド板２８が位置ずれしないように、ガイド板２８の上面両端にはバネ２１０が少なくとも一つずつ設けられる。各バネ２１０は、ガイド板２８の各端部を上方から下方へと付勢して、ガイド板２８を各ボス２９に押さえつける。
【００２３】
次に、再度図１を参照し、読取手段３，４について説明する。
【００２４】
まず、読取手段３は、前述の通り、原稿読み取り時には筐体内に固定的に配置されるＣＣＤ縮小光学タイプのスキャナである。この読取手段３は、読取位置ＲＰ１を通過する原稿を１ライン毎に順次的に読み取る。そのために、読取手段３は、大略的に、照明手段３１と、ミラー３２，３３，３４と、結像レンズ３５と、ＣＣＤカラーラインセンサ３６と、を備えている。
【００２５】
照明手段３１は、透明板２７を挟んでガイド板２８の真下に固定的に配置されており、読取位置ＲＰ１に向けて、左右両側から線状光（以下、単に光という）を出射する。
【００２６】
ミラー３２〜３４は、読取位置ＲＰ１を通過する原稿の第一面（表面）で反射した光を結像レンズ３５に導く。結像レンズ３５は、自身への入射光をラインセンサ３６に結像させる。ラインセンサ３６は、光電変換を行って、入射光を電気信号に変換する。原稿は、読取位置ＲＰ１を副走査方向に搬送されると共に、線状光により主走査方向にスキャンされる。原稿での反射光に基づき、ラインセンサ３６は、原稿１ライン分の画像データを順次的に生成する。
【００２７】
次に、読取手段４は、搬送手段２の筐体内に固定的に配置された、ＣＩＳ密着センサ方式のスキャナである。この読取手段４は、典型的には、Ｒ，Ｇ，Ｂの三色のＬＥＤからの光を原稿の第二面（裏面）に照射する。読取手段４は、原稿での反射光をロッドレンズアレイを介してＣＭＯＳイメージセンサに導いて、画像データを生成する。
【００２８】
ところで、この種の画像読取装置１には、「背景技術」の欄で説明した通り、ガイド板２８の熱変形に起因して、副走査方向への読取倍率（以下、単に読取倍率という）が、設定値と一致しなくなる場合がある。この読取倍率の調整のために、本実施形態では、画像読取装置１は、図３に示すように、制御手段５に加え検出手段６を備えている。
【００２９】
検出手段６は、周知の光学式変位センサ等である。検出手段６は、好ましくは、ガイド板２８のＹ軸方向中心の上方に設けられる。この部分が熱変形しやすいからである。検出手段６では、内蔵の発光素子が、ガイド板２８の上面に光を出射し、内蔵の受光素子が反射光を受光する。ここで、結像位置、さらに言えば、受光素子の出力電流値は、ガイド板２８の熱変形により変わる。この出力電流値は、ガイド板２８の上面の位置を示している。この上面位置は、ギャップＧにおいて熱変形により狭くなり易い部分の現在値（以下、単に、ギャップＧの現在値という）に相関する情報となる。
【００３０】
制御手段５は、例えば、マイコン、メインメモリおよび不揮発性メモリを含んでいる。制御手段５は、検出手段６からの出力電流値を受け取り、かかる電流値からギャップＧの現在値を導出する。
【００３１】
また、制御手段５にはテーブルが予め格納される。テーブルには、下記表１に示すように、ギャップＧの現在値ごとに、読取倍率を調整するための係数Ｃ1が示されている。表１では、ギャップＧの現在値が１［ｍｍ］の場合、読取倍率の係数Ｃ1は１［倍］と例示されている。また、ギャップＧの現在値が０．９［ｍｍ］の場合、読取倍率の係数Ｃ1は０．９９８［倍］と例示される。
【００３２】
【表１】
2015005801.tif 000003
【００３３】
上記テーブルにおいて、各係数Ｃ1は、画像読取装置１がユーザ側で使用される前に、製造者側で実験により求められる。実験では、読取倍率を規定値にした状態で、ギャップＧの現在値を変更しながら原稿の読み取りが実施される。このとき、ギャップＧが狭くなる程、画像データが表す原稿画像は副走査方向に不所望に伸長してしまう。副走査倍率の規定値をＸ1とし、ギャップＧが狭まった結果、原稿画像の全長がＸ2［倍］に伸長されたとすると、かかる伸長をキャンセルするため、係数Ｃ1は、例えばＸ1／Ｘ2とされる。
【００３４】
《画像読取装置の詳細な動作》
次に、図４を参照して、画像読取装置１の詳細な動作について説明する。まず、原稿がユーザによって供給トレイ２０にセットされると（図４：Ｓ０１）、制御手段５は、原稿の読取り開始前に、検出手段６の出力電流値を取得し、ギャップＧの現在値を把握する（Ｓ０２）。その後、制御手段５は、テーブルにアクセスして、ギャップＧの現在値に対応する係数Ｃ1を取得して、ユーザが所望する読取倍率に乗算する。これによって、ギャップＧの現在値を加味した読取倍率（つまり、調整済みの読取倍率）が求められる（Ｓ０３）。
【００３５】
その後、トレイ２０上の原稿の読取りが行われる（Ｓ０４）。ここで、各種ローラの回転速度は、読取位置ＲＰ１等を原稿が所定速度で搬送されるよう、制御手段５により制御される。
【００３６】
その後、制御手段５は、原稿の読取倍率を調整する。本実施形態において、制御手段５は、ＣＣＤカラーラインセンサ３６で生成された画像データを、画像処理により、Ｓ０３で求めた読取倍率で補正して、副走査方向に適切な長さの原稿画像を表す画像データを生成する（Ｓ０５）。
【００３７】
上記Ｓ０２〜Ｓ０５の一連の動作は、トレイ２０上の原稿が無くなるまで（Ｓ０６）、繰り返し行われる。
【００３８】
《第一実施形態に関する付記》
上記実施形態では、Ｓ０２〜Ｓ０５の一連の動作は、トレイ２０上の原稿が無くなるまで繰り返されるとして説明した。しかし、必ずしも、原稿単位で読取倍率を変更する必要もなく、例えば、一度Ｓ０１〜Ｓ０３の一連の動作が行われた後、Ｓ０４およびＳ０５の一連の動作のみが、トレイ２０上の原稿が無くなるまで繰り返されても構わない。
【００３９】
また、上記実施形態では、第一読取手段３により読み取られた原稿画像について、副走査方向長さの調整を行うとして説明した。しかし、これに限らず、第二読取手段４により読み取られた原稿画像に対して、同様の副走査方向長さの調整を行っても構わない。
【００４０】
また、上記実施形態では、画像読取装置１が制御手段５を備えるとして説明した。しかし、場合によっては、画像読取装置１は、ＭＦＰ（Ｍｕｌｔｉｆｕｎｃｔｉｏｎ  Ｐｅｒｉｐｈｅｒａｌ）のような画像形成装置のオプションとして実施されることもある。この場合、制御手段５は、画像読取装置１の内部では無く、画像形成装置内に設けられる。このような態様も、本件発明の範囲に含まれる。
【００４１】
《第一変形例》
上記実施形態では、制御手段５が、Ｓ０５において画像処理により、原稿画像の副走査方向長さを調整していた。しかし、これに限らず、制御手段５は、係数Ｃ1に基づく読取倍率の調整に代えて、係数Ｃ2を用いた各種ローラの回転速度の変更により、原稿画像の副走査方向長さを調整しても構わない。
【００４２】
ここで、表２は、本変形例に係る制御手段５に予め格納されるテーブルを示している。表２のテーブルには、ギャップＧの現在値ごとに、各種ローラの回転速度を調整するための係数Ｃ2が記述されている。表２では、ギャップＧの現在値が０．９［ｍｍ］の場合、回転速度の係数Ｃ2は１．００２［倍］と例示される。
【００４３】
【表２】
2015005801.tif 000004
【００４４】
前述の通り、ギャップＧが狭くなり、ギャップＧ中での原稿の搬送速度が低下する程、画像データは副走査方向に不所望に伸長する。ここで、副走査倍率の規定値をＸ3とし、搬送速度が低下した結果、原稿画像の全長がＸ4［倍］に伸長されたとすると、かかる伸長をキャンセルするため、係数Ｃ2は、例えばＸ3／Ｘ4とされる。
【００４５】
《第一変形例の詳細な動作》
次に、図５のフロー図を参照して、第一変形例の詳細な動作について説明する。図５は、図４と比較すると、Ｓ０３〜Ｓ０５の代わりに、Ｓ１３〜Ｓ１５を含む点で相違する。それ以外に相違点は無いので、図５において、図４のステップに相当するものには同一ステップ番号を付けて、それぞれの説明を省略する。
【００４６】
制御手段５は、Ｓ０１，Ｓ０２の実行後、取得したギャップＧの現在値に対応する係数Ｃ2を、テーブル（表２を参照）から取得する（Ｓ１３）。その後、トレイ２０上の原稿の読取りが行われる（Ｓ１４）。ここで、各種ローラの回転速度は、読取位置ＲＰ１等を原稿が所定速度で搬送されるよう、制御手段５により制御される。ここで、各種ローラの回転速度は、以下のように設定される。ギャップＧが初期値の場合には各種ローラの回転速度がＶ1であるとすると、Ｓ１４で設定される回転速度は、Ｖ1×Ｃ2であり、これがギャップＧの現在値を加味した値（つまり、調整済みの回転速度）となる。
【００４７】
その後、制御手段５は、ＣＣＤカラーラインセンサ３６で生成された画像データを取得する（Ｓ１５）。
【００４８】
上記Ｓ０２〜Ｓ１５の一連の動作は、トレイ２０上の原稿が無くなるまで（Ｓ０６）、繰り返し行われる。
【００４９】
《第一変形例に関する付記》
なお、第一変形例に記載の副走査方向長さの調整は、第二実施形態や第三実施形態にも応用可能である。
【００５０】
《第二変形例》
次に、第二変形例について説明する。上記実施形態では、制御手段５が、Ｓ０５において画像処理により、原稿画像の副走査方向長さを調整していた。しかし、これに限らず、制御手段５は、係数Ｃ1に基づく読取倍率の調整に代えて、ギャップＧの現在値が初期値を下回っていれば、図６に示すアクチュエータ７により、ギャップＧを拡げるようガイド板２８を上方に変位させても構わない。
【００５１】
より具体的には、アクチュエータ７は、モータ７０と、ラック・ピニオン７１と、二個一対のガイド板７２と、を含んでいる。
【００５２】
ラック・ピニオン７１は、モータ７０の駆動力をＸ軸方向の力に変換する。ガイド板７２は、透明板２７の上面上であってＹ軸方向両端上に設けられる。また、各ガイド板７２は、ＸＹ平面に平行でＺ軸方向の高さが異なる第一面および第二面を有する。ここで、本変形例では、これら二面のうち、Ｘ軸正方向側の第二面が高くなっている。各ガイド板７２はさらに、上記二面を接続する斜面と、を有する。以上のガイド板７２は、ラック・ピニオン７１で生成されたＸ軸方向の力により、Ｘ軸負方向にスライド可能となっている。
【００５３】
また、ギャップＧを拡張するために、制御手段５は、表３に示すように、ギャップＧの現在値ごとに、ギャップ拡張の要否を記述したテーブルを格納している。表３では、ギャップＧの現在値が０．８［ｍｍ］以下となれば、拡張要を意味する「１」というフラグが設定されている。
【００５４】
【表３】
2015005801.tif 000005
【００５５】
《第二変形例の動作》
ガイド板２８は、初期状態では、ガイド板７２の第一面上に載せられている。制御手段５は、まず、検出手段６からの出力電流値に基づき、ギャップＧが０．８［ｍｍ］以下か否かを判断する。肯定判断の場合、制御手段５は、表３のテーブルを参照することで、ギャップ拡張要と判断する。その後、制御手段５は、ガイド板７２をＸ軸負方向側にスライドさせる。これにより、ガイド板２８はＺ軸正方向側に移動し、ギャップＧが拡張される。この後、原稿の読み取りが実行される。
【００５６】
《第二変形例に関する付記》
上記第二変形例の説明では、ガイド板２８は、ガイド板７２の第一面から第二面へと二段階に変位していた。しかし、これに限らず、ガイド板２８は、三段階以上に変位しても構わない。さらに、図７に示すように、ガイド板２８をＸＹ平面に対する斜面上でスライドさせるガイド板７２を採用することにより、制御手段５は、ガイド板２８を所望のＺ軸方向位置に（つまり、無段階に）位置決め可能である。
【００５７】
また、第二変形例に記載の副走査方向長さの調整は、第二実施形態や第三実施形態にも応用可能である。
【００５８】
《第二実施形態》
図８において、画像読取装置１Ａは、前述の画像読取装置１と比較すると、制御手段５および検出手段６（図３参照）に代えて、制御手段５Ａおよび検出手段６Ａを備えている点で相違する。それ以外に両画像読取装置１，１Ａの間に相違点は無い。それゆえ、図８において、図１〜図３の構成に相当するものには同一参照符号を付け、それぞれの説明を省略する。
【００５９】
搬送手段２において、検出手段６Ａは、熱変形しやすいガイド板２８のＹ軸方向中心の上方に設けられる。検出手段６Ａは、自身の設置位置周辺の温度を検出し、ギャップＧの現在値に相関する情報（以下、ガイド温度という）として制御手段５Ａに出力する。
【００６０】
制御手段５Ａは、例えば、マイコン、メインメモリおよび不揮発性メモリを含んでいる。制御手段５Ａは、検出手段６Ａから情報を受け取り、受信情報からギャップＧの現在値を導出する。
【００６１】
また、制御手段５Ａには、テーブルが予め格納される。テーブルには、ガイド温度差ごとに、ガイド板２８の熱膨張により狭まるギャップＧの現在値が記述され、さらに、ギャップＧの現在値ごとに、読取倍率を調整するための係数（例えば、前述の係数Ｃ1）が示されている。これらギャップＧの現在値および係数は、実験により予め求められている。
【００６２】
《第二実施形態の詳細な動作》
次に、図９を参照して、画像読取装置１の詳細な動作について説明する。まず、原稿がユーザによって供給トレイ２０にセットされると（図９：Ｓ２１）、制御手段５Ａは、原稿の読取り開始前（換言すると、照明手段３１の点灯前）に、検出手段６Ａの検出結果、つまり、点灯前のガイド温度Ｔ0を得る（Ｓ２２）。次に、制御手段５Ａは、照明手段３１を点灯する（Ｓ２３）。照明手段３１の点灯により、ガイド板２８は温度上昇し、熱膨張し始める。その後、制御手段５Ａは、検出手段６Ａの検出結果、つまり、現在のガイド温度Ｔ1を得て、ガイド温度差ΔＴ（＝Ｔ1−Ｔ0）を求める（Ｓ２４）。
【００６３】
次に、制御手段５Ａは、内部に保持するテーブルにアクセスして、ガイド温度差ΔＴに対応するギャップＧの現在値を把握し、次に、ギャップＧの現在値に対応する係数を取得する。その後、制御手段５Ａは、ユーザが所望する読取倍率に乗算する。これによって、ギャップＧの現在値を加味した読取倍率（つまり、調整済みの読取倍率）が求められる（Ｓ２５）。
【００６４】
その後、Ｓ０４と同様にして、トレイ２０上の原稿の読取りが行われる（Ｓ２６）。その後、制御手段５Ａは、Ｓ０５と同様にして、原稿の読取倍率を調整して、副走査方向に適切な長さの原稿画像を表す画像データを生成する（Ｓ２７）。
【００６５】
上記Ｓ２４〜Ｓ２７の一連の動作は、トレイ２０上の原稿が無くなるまで（Ｓ２８）、繰り返し行われる。
【００６６】
《第二実施形態に関する付記》
上記実施形態では、検出手段６Ａは、ガイド板２８の上面の温度を検出するようになっていた。しかし、照明手段３１による光照射により、ガイド板２８の下面側が先に温度上昇し、上面側は遅れて温度上昇する。ガイド板２８の熱変形は、かかる下面側と上面側との温度差に起因する熱膨張量の差に基づくと考えられる。よって、検出手段６Ａは、ガイド板２８の上面側のガイド温度を検出する第一温度センサと、下面側のガイド温度を検出する第二温度センサと、を含んでいても構わない。制御手段５Ａは、これらのガイド温度差から、ギャップＧの現在値を求めることも可能である。
【００６７】
《第三実施形態》
図１０において、画像読取装置１Ｂは、前述の画像読取装置１と比較すると、制御手段５および検出手段６（図３参照）に代えて、制御手段５Ｂおよび検出手段６Ｂを備えている点で相違する。それ以外に両画像読取装置１，１Ｂの間に相違点は無い。それゆえ、図１０において、図１〜図３の構成に相当するものには同一参照符号を付け、それぞれの説明を省略する。
【００６８】
搬送手段２において、検出手段６Ｂは、制御手段５Ｂの制御下で、計時を開始／終了可能なタイマーであり、ギャップＧの現在値に相関する情報として、計時開始からの経過時間を制御手段５Ｂに出力する。
【００６９】
制御手段５Ｂは、例えば、マイコン、メインメモリおよび不揮発性メモリを含んでいる。制御手段５Ｂは、検出手段６Ｂから情報を受け取り、受信情報からギャップＧの現在値を導出する。
【００７０】
また、制御手段５Ｂには、テーブルが予め格納される。テーブルには、経過時間ごとに、ガイド板２８の熱膨張により狭まるギャップＧの現在値が記述され、さらに、ギャップＧの現在値ごとに、読取倍率を調整するための係数（例えば、前述の係数Ｃ1）が示されている。これらギャップＧの現在値および係数は、実験により予め求められている。
【００７１】
《第三実施形態の詳細な動作》
次に、図１１を参照して、画像読取装置１Ｂの詳細な動作について説明する。まず、原稿がユーザによって供給トレイ２０にセットされると（図１１：Ｓ３１）、制御手段５Ｂは、検出手段６Ｂによる計時を開始させる（Ｓ３２）。次に、制御手段５Ｂは、照明手段３１を点灯し、その結果、ガイド板２８は熱膨張し始める（Ｓ３３）。その後、制御手段５Ｂは、検出手段６Ｂによる経過時間を得る（Ｓ３４）。
【００７２】
次に、制御手段５Ｂは、内部に保持するテーブルにアクセスして、Ｓ３４で得た経過時間に対応するギャップＧの現在値を把握し、次に、ギャップＧの現在値に対応する係数を取得する。その後、制御手段５Ｂは、ユーザが所望する読取倍率に乗算する。これによって、ギャップＧの現在値を加味した読取倍率（つまり、調整済みの読取倍率）が求められる（Ｓ３５）。
【００７３】
その後、Ｓ０４と同様にして、トレイ２０上の原稿の読取りが行われる（Ｓ３６）。その後、制御手段５Ｂは、Ｓ０５と同様にして、原稿の読取倍率を調整して、副走査方向に適切な長さの原稿画像を表す画像データを生成する（Ｓ３７）。上記Ｓ３４〜Ｓ３７の一連の動作は、トレイ２０上の原稿が無くなるまで（Ｓ３８）、繰り返し行われる。
【００７４】
《作用・効果》
以上説明したように、本発明の第一乃至第三実施形態およびそれらの変形例によれば、透明板２７およびガイド板２８の間のギャップＧの現在値に相関する情報に基づき、原稿の副走査方向への読取倍率を調整している。ここで、情報とは、第一実施形態ではガイド板２８の上面位置を含み、第二実施形態ではガイド板２８の上面温度を少なくとも含み、第三実施形態では、照明手段３１の点灯からの経過時間を含んでいる。これら情報は、原稿を搬送パスＦＰ内に送り出さなくとも、取得することが可能である。換言すると、原稿を搬送せずとも、原稿の読取倍率の調整が可能となる。
【産業上の利用可能性】
【００７５】
本発明に係る画像読取装置は、原稿を搬送せずとも、副走査方向への読取倍率を調整可能であり、シートスルー方式のスキャナ等に好適である。
【符号の説明】
【００７６】
１，１Ａ，１Ｂ  画像読取装置
２，２Ａ，２Ｂ  自動原稿搬送手段
２７  透明板
２８  ガイド板
３  第一読取手段
４  第二読取手段
５，５Ａ，５Ｂ  制御手段
６，６Ａ，６Ｂ  検出手段
７  アクチュエータ
７０  モータ
７１  ピニオン
７２  ガイド板
【図１】
2015005801.tif 000006
【図２】
2015005801.tif 000007
【図３】
2015005801.tif 000008
【図４】
2015005801.tif 000009
【図５】
2015005801.tif 000010
【図６】
2015005801.tif 000011
【図７】
2015005801.tif 000012
【図８】
2015005801.tif 000013
【図９】
2015005801.tif 000014
【図１０】
2015005801.tif 000015
【図１１】
2015005801.tif 000016